(57)【要約】【課題】ボックスを構成するフレーム部材とコーナー部材を、複雑な構造や多数の部品点数を要することなく高い信頼性で連結させる。【解決手段】ボックスは、底板の端縁部に接続されるフレーム部材１と、底板の隅部分に接続されるコーナー部材２を備える。ボックスの側板は、フレーム部材１を介して底板に接続される。フレーム部材１は、底板の端縁部を保持する第一部分１１と、側板の端縁部を保持する第二部分１２を含む。コーナー部材２は、第一部分１１に挿し込まれる第一突起部２１と、第二部分１２に挿し込まれる第二突起部２２を含む。【選択図】図６
2020040704.tif 000002
【特許請求の範囲】
【請求項１】
端縁部とこれに隣接する隅部分を有する矩形状の底板と、
前記端縁部に接続されるフレーム部材と、
前記隅部分に接続されるコーナー部材と、
前記フレーム部材を介して前記底板に接続される側板と、を備え、
前記フレーム部材は、前記底板の前記端縁部を保持する第一部分と、前記側板の端縁部を保持する第二部分と、を含み、
前記コーナー部材は、前記第一部分に挿し込まれる第一突起部と、前記第二部分に挿し込まれる第二突起部と、を含む
ことを特徴とするボックス。
【請求項２】
前記側板は、端縁部側に切り込みが形成された中空構造板であり、
前記フレーム部材は、前記切り込みに係止するように前記第二部分に形成された凸条を有する
ことを特徴とする請求項１のボックス。
【請求項３】
空間を囲んで位置する複数の側板と、
前記複数の側板のうち隣接する２つの側板の端縁部同士を連結させるフレーム部材と、
前記フレーム部材の長手方向の端部に接続されるコーナー部材と、を備え、
前記フレーム部材は、前記２つの側板のうち一方の側板の端縁部を保持する第一部分と、前記２つの側板のうち他方の側板の端縁部を保持する第二部分と、を含み、
前記コーナー部材は、前記第一部分に挿し込まれる第一突起部と、前記第二部分に挿し込まれる第二突起部と、を含む
ことを特徴とするボックス。
【発明の詳細な説明】
【技術分野】
【０００１】
本発明は、ボックスに関する。
【背景技術】
【０００２】
特許文献１には、複数の板材を備えたボックスの構造が記載されている。この構造では、隣接する板材の端縁部同士を直線状のフレーム部材で連結し、該フレーム部材の端部に、コーナー部材を連結させている。
【０００３】
コーナー部材は、フレーム部材に向けて突出するアームを有している。フレーム部材は、このアームが挿し込まれる孔を有している。
【先行技術文献】
【特許文献】
【０００４】
【特許文献１】特開昭５８−５２０３７号公報
【発明の概要】
【発明が解決しようとする課題】
【０００５】
上記した従来のボックスの構造では、フレーム部材の端部に開口する１つの孔に、コーナー部材が有する１つのアームを挿し込むことで、フレーム部材とコーナー部材を連結させている。
【０００６】
したがって、フレーム部材とコーナー部材の連結部分において、アームに負荷が集中しやすく、連結の信頼性が低いという問題がある。
【０００７】
本発明が解決しようとする課題は、ボックスを構成するフレーム部材とコーナー部材を、複雑な構造や多数の部品点数を要することなく高い信頼性で連結させることにある。
【課題を解決するための手段】
【０００８】
一様態に係るボックスは、端縁部とこれに隣接する隅部分を有する矩形状の底板と、前記端縁部に接続されるフレーム部材と、前記隅部分に接続されるコーナー部材と、前記フレーム部材を介して前記底板に接続される側板と、を備える。前記フレーム部材は、前記底板の前記端縁部を保持する第一部分と、前記側板の端縁部を保持する第二部分と、を含む。前記コーナー部材は、前記第一部分に挿し込まれる第一突起部と、前記第二部分に挿し込まれる第二突起部と、を含む。
【０００９】
別態様に係るボックスは、空間を囲んで位置する複数の側板と、前記複数の側板のうち隣接する２つの側板の端縁部同士を連結させるフレーム部材と、前記フレーム部材の長手方向の端部に接続されるコーナー部材と、を備える。前記フレーム部材は、前記２つの側板のうち一方の側板の端縁部を保持する第一部分と、前記２つの側板のうち他方の側板の端縁部を保持する第二部分と、を含む。前記コーナー部材は、前記第一部分に挿し込まれる第一突起部と、前記第二部分に挿し込まれる第二突起部と、を含む。
【発明の効果】
【００１０】
本発明は、ボックスを構成するフレーム部材とコーナー部材を、複雑な構造や多数の部品点数を要することなく高い信頼性で連結させることができるという効果を奏する。
【図面の簡単な説明】
【００１１】
【図１】図１は、実施形態１のボックスを示す斜視図である。
【図２】図２は、同上のボックスを示す平面図である。
【図３】図３は、図２のＡ−Ａ線断面図である。
【図４】図４は、図２のＢ−Ｂ線断面図である。
【図５】図５は、同上のボックスが備える底板と側板を示す斜視図である。
【図６】図６は、同上のボックスの要部を示す分解斜視図である。
【図７】図７は、同上のボックスが備えるコーナー部材を示す斜視図である。
【図８】図８は、同上のコーナー部材を示す平面図である。
【図９】図９Ａは、図８のＰ矢視図であり、図９Ｂは、図８のＱ矢視図である。
【図１０】図１０は、同上のボックスが備えるロック機構を示す分解斜視図である。
【図１１】図１１は、実施形態２のボックスを示す斜視図である。
【図１２】図１２は、図１１の要部をその正面から視た図である。
【図１３】図１３は、図１２のＣ−Ｃ線断面図である。
【図１４】図１４は、図１２のＤ−Ｄ線断面図である。
【図１５】図１５は、同上のボックスが備えるコーナー部材を示す斜視図である。
【図１６】図１６Ａは、第一変形例の要部を示す断面図であり、図１６Ｂは、第二変形例の要部を示す断面図であり、図１６Ｃは、第三変形例の要部を示す断面図であり、図１６Ｄは、第四変形例の要部を示す断面図である。
【発明を実施するための形態】
【００１２】
（実施形態１）
実施形態１のボックスについて、図１から図１０に基づいて説明する。
【００１３】
図１、図２に示すように、実施形態１のボックスは、空間Ｓ１を囲むように位置する複数の側板３と、複数の側板３のうち隣接する２つの側板３の端縁部同士を連結させる直線状のフレーム部材１と、隣接する３つの側板３の隅部分同士を連結させるＬ字状のコーナー部材２を備える。
【００１４】
実施形態１のボックスは、上方に開口するように形成されたコンテナである。実施形態１において複数の側板３は、５つの側板３である。
【００１５】
５つの側板３のうち１つが、コンテナの底板３ａである。残りの４つの側板３が、コンテナの４つの側板３ｂである。４つの側板３ｂは、いずれも矩形状であり、かつ内側に向けて折り曲げ可能である。
【００１６】
以下においては区別のため、側板３のなかでも底板３ａが備える基本的な構成には符号の末尾にａを付し、これとは別の側板３ｂが備える基本的な構成の末尾にはｂを付す。
【００１７】
実施形態１において、フレーム部材１は、矩形状の底板３ａが有する４つの直線状の端縁部３１ａに、一対一で接続されている。コーナー部材２は、底板３ａが有する４つの隅部分３２ａに、一対一で接続されている。４つのフレーム部材１と４つのコーナー部材２は、底板３ａの周縁部において交互に位置する。底板３ａの周方向において隣接するフレーム部材１とコーナー部材２は、互いに接続されている。実施形態１のボックスにおいて、空間Ｓ１の上方の開口を塞ぐ蓋板を、更に備えることも可能である。
【００１８】
以下、実施形態１のボックスが備える各構成について、更に詳しく説明する。
【００１９】
ボックスが備える底板３ａは、合成樹脂製の中空構造板を用いて形成されているが、これに限定されず、例えば発泡板材を用いて形成されてもよい。
【００２０】
底板３ａは、４つの端縁部３１ａと４つの隅部分３２ａを、周方向において交互に有する（図５等参照）。４つの端縁部３１ａは、一対の長辺側の端縁部３１２ａと、一対の短辺側の端縁部３１４ａで構成されている。
【００２１】
同様に、ボックスが備える４つの側板３ｂの各々は、合成樹脂製の中空構造板を用いて形成されているが、これに限定されず、例えば発泡板材を用いて形成されてもよい。
【００２２】
各側板３ｂは、底板３ａに接続される側の端縁部３１ｂと、この端縁部３１ｂに隣接する隅部分３２ｂを有する。また、各側板３ｂの下端縁部（端縁部３１ｂ側の部分）の外側面には、水平方向に一直線状の切り込み４１が形成されている。各側板３ｂは、切り込み４１を介して内側に折り曲げ自在である。
【００２３】
加えて、４つの側板３ｂのうち長辺側の一対の側板３ｂには、別の切り込み４３が形成されている（図３等参照）。切り込み４３は、側板３ｂの端縁部３１ｂをフレーム部材１に係止させるための切り込みである。切り込み４３は、側板３ｂの下端縁部（端縁部３１ｂ側の部分）の外側面に、水平方向に一直線状に形成されている。
【００２４】
折り曲げ用の切り込み４１と、係止用の切り込み４３は、互いに平行である。ボックスが組み立てられた状態において、折り曲げ用の切り込み４１は、係止用の切り込み４３よりも上方に位置する。
【００２５】
更に、４つの側板３ｂのうち短辺側の一対の側板３ｂには、使用者が指を挿し入れるための持ち手孔４４が、厚み方向に貫通形成されている。持ち手孔４４には、その内周面を覆うように、環状の持ち手フレーム４６が嵌め込まれている。
【００２６】
４つの側板３ｂのうち、周方向において隣接する側板３ｂ同士（つまり長辺側と短辺側の側板３ｂ同士）は、ロック機構５によって着脱自在に固定される。ロック機構５は、第一パーツ５１と第二パーツ５２を備える（図１０参照）。
【００２７】
第一パーツ５１は、長辺側の側板３ｂの、上側の隅部分に固定される。第一パーツ５１には、ロック部材５５が、所定範囲内で上下動自在に配置されている。ロック部材５５は、ロックピン５５１と、ロック部材５５の全体に上方への付勢力を与える弾性片５５３を、一体に有する。第一パーツ５１には、ロック部材５５を上下にスライド操作するための操作窓５１４が形成されている。
【００２８】
第二パーツ５２は、短辺側の側板３ｂの、上側の隅部分に固定される。第二パーツ５２は、ロック部材５５が上側に位置するときにだけロックピン５５１が係止する部分を有する。
【００２９】
したがって、ロック部材５５が上側に位置するとき（つまりロック部材５５に対して下方への外力を与えていないとき）には、隣接する側板３ｂ同士を、ロック機構５を介して固定することができる。使用者がロック部材５５を操作して下側に移動させたときには、隣接した側板３ｂ同士の固定が解除される。
【００３０】
次に、フレーム部材１とコーナー部材２について説明する。
【００３１】
底板３ａに接続される４つのフレーム部材１と４つのコーナー部材２は、いずれも合成樹脂を用いて成形されている。
【００３２】
４つのフレーム部材１は、断面形状が同一である。４つのフレーム部材１のうち、底板３ａの長辺側に接続される一対のフレーム部材１は、底板３ａの短辺側に接続される一対のフレーム部材１よりも長尺である。
【００３３】
以下の本文中では区別のため、底板３ａの長辺側に接続されるフレーム部材１を「長辺側フレーム部材１Ａ」と称し、底板３ａの短辺側に接続されるフレーム部材１を「短辺側フレーム部材１Ｂ」と称する。
【００３４】
４つのコーナー部材２の各々は、長辺側フレーム部材１Ａに接続される長辺側半部２Ａと、短辺側フレーム部材１Ｂに接続される短辺側半部２Ｂを、Ｌ字状に交差するように一体に有する。長辺側半部２Ａからこれに接続された長辺側フレーム部材１Ａが伸びる方向と、短辺側半部２Ｂからこれに接続された短辺側フレーム部材１Ｂが伸びる方向は、互いに直交する方向である。
【００３５】
長辺側半部２Ａと短辺側半部２Ｂの基本的な構造は共通である。以下においては、長辺側フレーム部材１Ａと、これに接続される長辺側半部２Ａの構造について、まず説明する。
【００３６】
図２から図４に示すように、長辺側フレーム部材１Ａは、底板３ａの長辺側の端縁部３１２ａを保持する第一部分１１と、長辺側の側板３ｂの端縁部３１ｂを保持する第二部分１２と、第一部分１１と第二部分１２を結合させる第三部分１３を含む。
【００３７】
第一部分１１は、底板３ａの端縁部３１２ａが内側方から挿し込まれるように、内側方に開口したコ字状の断面形状を有する。具体的には、第一部分１１は、上下に距離をあけて平行に位置する一対の保持片１１２と、一対の保持片１１２の外側方の端部同士をつなぐ連結片１１４を、一体に有する。
【００３８】
更に第一部分１１は、一対の保持片１１２の互いの対向面から突出する一対のリブ１１６を有する。一対のリブ１１６は、長辺側フレーム部材１Ａの全長に亘って一直線状に形成されている。一対のリブ１１６は、上下に対向する位置にあるが、対向する位置から内外方向にずれて位置しても構わない。
【００３９】
一対のリブ１１６は、連結片１１４から延出する一対の保持片１１２のうち、その基端から先端に向かう１／２の位置よりも基端側（即ち連結片１１４に近い側）の箇所から、突出している。一対のリブ１１６は、一対の保持片１１２の基端から先端に向かう２／３の位置よりも基端側の箇所から突出していることが、好ましい。
【００４０】
底板３ａの端縁部３１２ａは、一対の保持片１１２の間の空間のうち、一対のリブ１１６よりも内側方の領域に挿入される。
【００４１】
第二部分１２は、側板３ｂの端縁部３１ｂが上方から挿し込まれるように、上方に開口したコ字状の断面形状を有する。具体的には、第二部分１２は、水平方向に距離をあけて平行に位置する一対の保持片１２２と、一対の保持片１２２の下端部同士をつなぐ連結片１２４を、一体に有する。なお、一対の保持片１２２のうち、内側方に位置する保持片１２２は、外側方に位置する保持片１２２よりも、連結片１２４から上方への突出量が小さい。
【００４２】
更に第二部分１２は、側板３ｂの切り込み４３に係止する凸条１２６を有する。凸条１２６は、一対の保持片１２２のうち、外側方に位置する保持片１２２から、内側方に向けて突出している。凸条１２６は、保持片１２２の全長に亘って（つまり第二部分１２の全長に亘って）一直線状に形成されている。凸条１２６の位置は、内側方に位置する保持片１２２の突先よりも、下方の位置である。
【００４３】
側板３ｂの端縁部３１ｂは、第二部分１２の連結片１２４に当たる位置にまで挿し込まれる。この状態で、端縁部３１ｂの切り込み４３に対して凸条１２６が係止する。端縁部３１ｂの切り込み４１の位置は、内側方の保持片１２２の突先よりも上方であり、かつ外側方の保持片１２２の突先よりも下方である。
【００４４】
第三部分１３は、第一部分１１と第二部分１２をつなぐ連結片１３０で構成されている。第三部分１３の連結片１３０は、第一部分１１を構成する保持片１１２、連結片１１４よりも肉厚に成形されており、また、第二部分１２を構成する保持片１２２、連結片１２４よりも肉厚に成形されている。
【００４５】
実施形態１において、第二部分１２は第一部分１１よりも上方に位置している。連結片１３０は、第一部分１１の連結片１１４の上部と、第二部分１２の連結片１２４をつなぐ水平な連結片である。断面Ｌ字状に連続するこれらの連結片１１４，１３０，１２４により、長辺側フレーム部材１Ａには段部１９が形成されている。段部１９は、下方及び外側方に向けて開放された凹状の段部である。
【００４６】
段部１９は、実施形態１のコンテナを組み立て状態で複数積み重ねたときに、下側のコンテナの側板３ｂの上端部が嵌る部分として機能する。
【００４７】
図６から図９Ｂに示すように、コーナー部材２の長辺側半部２Ａは、底板３ａの隅部分３２ａに連結される横部分２５と、側板３ｂの下側の隅部分３２ｂに連結される縦部分２６を、一体に有する。縦部分２６は、横部分２５よりも外側方に位置し、かつ横部分２５よりも上方に位置する。
【００４８】
横部分２５は、底板３ａの隅部分３２ａが内側方から挿し込まれるように、内側方に開口したコ字状の断面形状を有する。図８、図９Ａ及び図９Ｂに示すように、横部分２５が有する上下の保持片２５２の間には、底板３ａの隅部分３２ａをガイドすることのできる斜面２５５が形成されている。隅部分３２ａは、斜面２５５にガイドされながら、上下の保持片２５２の間のスペースに挿し入れられる。斜面２５５は、長辺側フレーム部材１Ａに近い側（図８では下側）の箇所ほど、内側方に位置するように、全体が傾斜している。
【００４９】
底板３ａの隅部分３２ａが横部分２５の上下の保持片２５２間のスペースに挿し込まれた状態で、隅部分３ａの直角な端面は、上下の保持片２５２間の直角な入隅部分２５７に当接する。
【００５０】
図５に示すように、底板３ａの隅部分３２ａには、横部分２５の斜面２５５に当たる箇所に、切欠き３２５ａを形成している。底板３ａの隅部分３２ａが横部分２５に挿し込まれた状態において、切欠き３２５ａの端面と横部分２５の斜面２５５が当たることで、底板３ａの掛かり代が確保され、仮に底板３ａが撓んだときにも底板３ａがコーナー部材２から外れ難くなる。
【００５１】
縦部分２６は、ここに連結される軸部材６１（図６参照）を介して、側板３ｂの隅部分３２ｂに対して回転自在に連結される。縦部分２６は、２つの係止溝２６１を有する。
【００５２】
軸部材６１は、側板３ｂの隅部分３２ｂが挿し込まれるように開口したコ字状の断面形状を有する。軸部材６１は、コーナー部材２の縦部分２６の２つの係止溝２６１に対して一対一で嵌り込む２つの連結アーム６１２を有する。連結アーム６１２は、係止溝２６１に対して回転自在に係止する。
【００５３】
更に、コーナー部材２の長辺側半部２Ａは、横部分２５の長手方向の先端面（長辺側フレーム部材１Ａの側を向く面）から突出する第一突起部２１と、縦部分２６の長手方向の先端面（長辺側フレーム部材１Ａの側を向く面）から突出する第二突起部２２と、縦部分２６の長手方向の先端面から突出する縦片２４を、一体に有する。
【００５４】
第一突起部２１は、長辺側フレーム部材１Ａの第一部分１１の、長手方向の端部開口に挿し込まれる部分である。第二突起部２２は、長辺側フレーム部材１Ａの第二部分１２の、長手方向の端部開口に挿し込まれる部分である。第一突起部２１と第二突起部２２は、互いに距離をあけて平行に位置する。第二突起部２２は、第一突起部２１よりも外側方に位置し、かつ第一突起部２１よりも上方に位置する。
【００５５】
第一突起部２１は、第一部分１１の上下の保持片１１２間の空間に挿し入れることのできる横長の断面形状を有する。第一突起部２１は、その外周面に形成された一対の溝２１１を有する。一対の溝２１１は、第一突起部２１の突出方向に沿って一直線状に形成されている。
【００５６】
一対の溝２１１の１つは、第一突起部２１の上面に形成されており、一対の溝２１１のもう１つは、第一突起部２１の下面に形成されている。一対の溝２１１は、上下に並んで位置する。
【００５７】
第一突起部２１が第一部分１１に挿入された状態において、第一突起部２１が有する一対の溝２１１には、第一部分１１が有する一対のリブ１１６が、一対一で嵌り込む（図４参照）。これにより、長辺側フレーム部材１Ａの捻り防止が図られる。なお、リブ１１６は一対に限定されず、１つ或いは３つ以上でもよい。リブ１１６が１つの場合、リブ１１６は上下一対の保持片１１２の一方から突出する。いずれの場合も、リブ１１６と溝２１１が一対一で嵌り合うことにより、長辺側フレーム部材１Ａの捻り防止が図られる。
【００５８】
更に、第一突起部２１の先端部分には、上方に突出する円柱状の突出部２１３が形成されている。長辺側フレーム部材１Ａの上側の保持片１１２の長手方向の端部には、突出部２１３が嵌ることのできる孔１１３が、上下に貫通形成されている。突出部２１３が孔１１３に嵌ることで、コーナー部材２と長辺側フレーム部材１Ａの間で抜け止めが図られる。
【００５９】
なお、長辺側フレーム部材１Ａのうち突起部２１３が嵌る部分の構造は、貫通した孔１１３に限定されない。例えば、貫通した孔１１３を設ける代わりに、突起部２１３が係止する非貫通の凹部を設けることも可能である。
【００６０】
第一突起部２１は、第一部分１１の孔１１３と突出部２１３が嵌り合い、第一部分１１の一対のリブ１１６と一対の溝２１１が嵌り合い、かつ第一部分１１の連結片１１４と第一突起部２１の端面が当たることで、第一部分１１に対して上下左右で確実に係合するようになっている。
【００６１】
更に、第一突起部２１には、第一突起部２１の先端部から横部分２５に向けて折り返すように弾性片２１５が形成されている。弾性片２１５の先端側の部分には、凸状の係止部２１７が設けられている。第一部分１１の長手方向の端部には、この係止部２１７が弾性的に係止する部分が設けられている。
【００６２】
長辺側半部２Ａの第二突起部２２は、第二部分１２の保持片１２２間の空間に挿し入れることができるように成形されている。図４に示すように、第二突起部２２は、Ｌ字を上下逆にした断面形状の主体部２２１と、主体部２２１と一体に成形された三角形状のリブ２２３を有する。
【００６３】
第二突起部２２が第二部分１２に挿入された状態において、第二突起部２２は、凸条１２６よりも下方に位置する。側板３の端縁部３１ｂと第二突起部２２との間に、凸条１２６が位置する。第二突起部２２の上端が凸条１２６に当たり、第二突起部２２の下端が連結片１２４に当たることで、第二突起部２２は第二部分１２の内部に確実に保持される。
【００６４】
また、第二突起部２２と縦片２４の間に、第二部分１２の一対の保持片１２２のうち、外側方の保持片１２２が位置する。縦片２４は、第二部分１２の長手方向の端部の外側方を覆うように位置する。
【００６５】
長辺側半部２Ａが縦片２４を有することで、長辺側フレーム部材１Ａに対して内側方から外側方への外力が作用したときに、長辺側フレーム部材１Ａが捻じれることが抑えられる。つまり、長辺側フレーム部材１Ａが外側方に捻じれようとしても、長辺側フレーム部材１Ａの端部と側面に対して、第一突起部２１と第二突起部２２に加えて縦片２４が当たるので、長辺側フレーム部材１Ａの捻じれが抑えられる。
【００６６】
また、長辺側半部２Ａから縦片２４が突出していることで、縦片２４が、長辺側半部２Ａと長辺側フレーム部材１Ａの間に隙間が生じたときにこの隙間を覆うように機能する。これにより、長辺側半部２Ａと長辺側フレーム部材１Ａの隙間を通じて内容物が飛び出ることが、一層抑えられる。
【００６７】
なお、第二突起部２２と縦片２４の少なくとも一方に突起を設け、この突起が係止する孔を、長辺側フレーム部材１Ａの対応する箇所に設けることも可能である。これにより、コーナー部材２と長辺側フレーム部材１Ａをより強固に結合させることができる。
【００６８】
長辺側フレーム部材１Ａと、コーナー部材２の長辺側半部２Ａの構造は、上記した通りである。したがって、実施形態１のボックスにおいては、長辺側フレーム部材１Ａとコーナー部材２を、シンプルな構造でかつ高い信頼性で連結させることができる。
【００６９】
つまり、実施形態１のボックスでは、コーナー部材２の長辺側半部２Ａの一部から突出した第一突起部２１を、長辺側フレーム部材１Ａの第一部分１１に挿し込み、長辺側半部２Ａの他部から突出した第二突起部２２を、長辺側フレーム部材１Ａの第二部分１２に挿し込むので、連結部分にかかる負荷を分散させることができ、長辺側フレーム部材１Ａとコーナー部材２を、シンプルな構造でかつ高い信頼性で連結させることができる。
【００７０】
次に、短辺側フレーム部材１Ｂと、これに接続される短辺側半部２Ｂの構造について、説明する。
【００７１】
上記したように、短辺側フレーム部材１Ｂの基本的な構造（断面形状）は、長辺側フレーム部材１Ａと同様であり、短辺側半部２Ｂの基本的な構造は長辺側半部２Ａと同様である。したがって、短辺側フレーム部材１Ｂ及び短辺側半部２Ｂの構成のうち、長辺側フレーム部材１Ａ及び長辺側半部２Ａと同様の機能を有する構成に、同一符号を付している。
【００７２】
以下においては、短辺側フレーム部材１Ｂ及び短辺側半部２Ｂの構成のうち、長辺側フレーム部材１Ａ及び長辺側半部２Ａとは異なる構成について主に説明する。
【００７３】
短辺側フレーム部材１Ｂは、長辺側フレーム部材１Ａと同様の第一部分１１、第二部分１２及び第三部分１３を有する。第一部分１１は、底板３ａの短辺側の端縁部３１４ａを保持するように断面コ字状に形成され、第二部分１２は、短辺側の側板３ｂの端縁部３１ｂを保持するように断面コ字状に形成されている。
【００７４】
コーナー部材２の短辺側半部２Ｂは、断面コ字状の横部分２５と、軸部材６２を介して短辺側の側板３ｂに連結される縦部分２６を、一体に有する。短辺側半部２Ｂの縦部分２６は、長辺側半部２Ａの縦部分２６よりも高く形成されている。
【００７５】
短辺側半部２Ｂの縦部分２６のうち、長辺側半部２Ａに近い側の端部２６５（図８参照）は、長辺側半部２Ａに向けてＬ字状に折れ曲がった形状を有する。端部２６５の内側面は、平面視においてＬ字状である。実施形態１のコンテナを折り畳み状態で複数積み重ねたときには、下側のコンテナのコーナー部材２の端部２６５が、上側のコンテナのコーナー部材２の段部２９（図９Ａ、図９Ｂ参照）に嵌ることで、上下のコンテナの位置ずれが防止される。コーナー部材２の段部２９は、コーナー部材２の下部において、下方及び外側方に向けて開放された凹状の段部である。段部２９は、長辺側半部２Ａから短辺側半部２Ｂにかけて、平面視においてＬ字状に形成されている。
【００７６】
軸部材６２は、短辺側の側板３ｂの隅部分３２ｂが挿し込まれるように開口したコ字状の断面形状を有する。軸部材６２は、縦部分２６が有する２つの係止溝２６１に対して一対一で嵌り込む２つの連結アーム６２２を有する。連結アーム６２２は、係止溝２６１に対して回転自在に係止する。
【００７７】
更に、短辺側半部２Ｂは、短辺側フレーム部材１Ｂの第一部分１１の端部開口に挿し込まれる第一突起部２１と、短辺側フレーム部材１Ｂの第二部分１２の端部開口に挿し込まれる第二突起部２２を有する。第一突起部２１の先端部分に形成された円柱状の突出部２１３は、短辺側フレーム部材１Ｂの上側の保持片１１２に貫通形成された孔１１３に係止する。突出部２１３が孔１１３に嵌ることで、コーナー部材２と短辺側フレーム部材１Ｂの間で抜け止めが図られる。
【００７８】
なお、短辺側フレーム部材１Ｂのうち突起部２１３が嵌る部分の構造は、貫通した孔１１３に限定されず、孔１１３を貫通形成する代わりに、突起部２１３が係止する非貫通の凹部を設けることも可能である。
【００７９】
コーナー部材２の短辺側半部２Ｂの一部から突出した第一突起部２１を、短辺側フレーム部材１Ｂの第一部分１１に挿し込み、短辺側半部２Ｂの他部から突出した第二突起部２２を、短辺側フレーム部材１Ｂの第二部分１２に挿し込むことで、短辺側フレーム部材１Ｂとコーナー部材２を、シンプルな構造でかつ高い信頼性で連結させることができる。
【００８０】
したがって、実施形態１のボックス（コンテナ）によれば、ボックスを構成するフレーム部材１（長辺側フレーム部材１Ａ及び短辺側フレーム部材１Ｂ）とコーナー部材２を、底板３ａや側板３ｂに嵌め込むだけの簡単な作業で取り付けることができ、リベットやボルトを用いる必要がない。実施形態１のボックスによれば、複雑な構造や多数の部品点数を要することなく、高い信頼性でフレーム部材１とコーナー部材２を連結させることが可能である。
【００８１】
（実施形態２）
実施形態２のボックスについて、図１１から図１５に基づいて説明する。なお、実施形態２のボックスの構成のうち、実施形態１のボックスと同様の機能を有する構成については、同一符号を付して詳しい説明を省略する。以下においては、実施形態２のボックスの構成のうち、実施形態１のボックスとは異なる構成について主に説明する。
【００８２】
図１１には、実施形態２のボックスの全体を示している。実施形態２のボックスは、空間Ｓ１を囲むように位置する複数の側板３と、複数の側板３のうち隣接する２つの側板３の端縁部同士を連結させる直線状のフレーム部材１と、フレーム部材１の長手方向の端部（つまりフレーム部材１の上端部）に接続されるコーナー部材２を備える。
【００８３】
実施形態２のボックスは、上方に開口するように形成された防音ブースである。実施形態２において複数の側板３は、矩形状に形成された４つの側板３である。各側板３は、合成樹脂製の中空構造板を用いて形成されているが、これに限定されず、例えば発泡板材を用いて形成されてもよい。実施形態２のボックスにおいて、空間Ｓ１の上方の開口を塞ぐ蓋板を、更に備えることも可能である。
【００８４】
各側板３は、左右両側に形成された直線状の端縁部３１を有する。各側板３には、フレーム部材１に係止するための切り込み４３が形成されている（図１３参照）。切り込み４３は、各側板３の端縁部３１側の部分の外側面に、上下方向に一直線状に形成されている。
【００８５】
４つの側板３を周方向に連結させる４つのフレーム部材１は、互いに同一の断面形状を有するように、合成樹脂を用いて成形されている。
【００８６】
フレーム部材１は、隣接する２つの側板３のうち一方の側板３の端縁部３１を保持する断面コ字状の第一部分１１と、他方の側板３の端縁部３１を保持する断面コ字状の第二部分１２と、第一部分１１と第二部分１２を結合させる第三部分１３を含む。
【００８７】
第一部分１１は、互いに距離をあけて平行に位置する一対の保持片１１２と、一対の保持片１１２の端部同士をつなぐ連結片１１４と、一対の保持片１１２の互いの対向面から突出する一対のリブ１１６を、一体に有する。側板３の端縁部３１は、一対の保持片１１２の間の空間のうち、一対のリブ１１６よりも連結片１１４から離れた領域に、挿入される。
【００８８】
第二部分１２は、互いに距離をあけて平行に位置する一対の保持片１２２と、一対の保持片１２２の端部同士をつなぐ連結片１２４と、側板３の切り込み４３に係止する凸条１２６を、一体に有する。凸条１２６は、一対の保持片１２２のうち、外側方に位置する保持片１２２から、内側方に向けて突出している。
【００８９】
図１５等に示すように、コーナー部材２は、平面視においてＬ字状の外形を有するカバー部２７と、カバー部２７から同一方向（下方）に突出する第一突起部２１、第二突起部２２及び縦片２４を、一体に有する。
【００９０】
第一突起部２１は、フレーム部材１の第一部分１１の端部開口に対して、上方から挿し込まれる部分である。第二突起部２２は、フレーム部材１の第二部分１２の端部開口に対して、上方から挿し込まれる部分である。第一突起部２１と第二突起部２２は、互いに距離をあけて平行に位置する。
【００９１】
第一突起部２１の外周面には、上下に一直線状に伸びる一対の溝２１１が形成されている。一対の溝２１１には、第一部分１１が有する一対のリブ１１６の端部が、一対一で嵌り込む。これにより、フレーム部材１の捻り防止が図られる。
【００９２】
第一突起部２１の先端部分には、内側方に向けて突出する円柱状の突出部２１３が形成されている。突出部２１３は、第一部分１１の貫通孔に係止するように構成されている。これにより、コーナー部材２とフレーム部材１の間で抜け止めが図られる。なお、フレーム部材１のうち突起部２１３が係止する部分の構造は、貫通孔に限定されず、非貫通の凹部を設けることも可能である。
【００９３】
更に、第一突起部２１には、第一突起部２１の先端部からカバー部２７に向けて折り返すように弾性片２１５が形成されている。弾性片２１５の先端側の部分が、第一部分１１に引っ掛かるように設けられている。
【００９４】
図１４に示すように、第二突起部２２は、第二部分１２に挿入された状態（つまり一対の保持片１２２の間の空間に挿入された状態）において、凸条１２６よりも連結片１２４に近い領域に、位置する。また、第二突起部２２と縦片２４の間に、一対の保持片１２２のうち外側方の保持片１２２が位置する。縦片２４は、第二部分１２の長手方向の端部の外側方を覆うように位置する。
【００９５】
したがって、実施形態２のボックス（防音ブース）においては、フレーム部材１とコーナー部材２を、シンプルな構造でかつ高い信頼性で連結させることができる。
【００９６】
つまり、実施形態２のボックスでは、カバー部２７の一部から突出した第一突起部２１を、フレーム部材１の第一部分１１に挿し込み、カバー部２７の他部から突出した第二突起部２２を、フレーム部材１の第二部分１２に挿し込むので、連結部分にかかる負荷を分散させることができ、フレーム部材１とコーナー部材２を、シンプルな構造でかつ高い信頼性で連結させることができる。
【００９７】
実施形態２のボックスによれば、フレーム部材１とコーナー部材２を、側板３に嵌め込むだけの簡単な作業で取り付けることができ、リベットやボルトを用いる必要がない。実施形態２のボックスによれば、複雑な構造や多数の部品点数を要することなく、高い信頼性でフレーム部材１とコーナー部材２を連結させることが可能である。
【００９８】
（変形例）
上記した実施形態１，２のボックスは一例に過ぎず、実施形態１，２のボックスの各構成において、種々の変形が可能である。
【００９９】
例えば、図１６Ａから図１６Ｄには、実施形態１のボックスが備えるフレーム部材１とコーナー部材２の変形例を示している。図１６Ａから図１６Ｄのそれぞれは、実施形態１の図４に対応する箇所（つまり図２のＢ−Ｂ線に対応する箇所）の断面図である。
【０１００】
以下の変形例の説明において、上記した実施形態１，２のボックスと同様の機能を有する構成については、同一符号を付して詳しい説明を省略する。
【０１０１】
図１６Ａに示す第一変形例では、フレーム部材１（長辺側フレーム部材１Ａ）の第一部分１１と第二部分１２を結合させる第三部分１３が、貫通した筒部１３１で構成されている。コーナー部材２は、筒部１３１の長手方向の端部に挿し入れられる第三突起部２３を、第一突起部２１及び第二突起部２２とは距離をあけた箇所に有する。第三部分１３の外側面は、第一部分１１及び第二部分１２の外側面と面一に連続している。したがって、第一変形例では、フレーム部材１の外側面に、凹状の段部が形成されていない。
【０１０２】
図１６Ｂに示す第二変形例では、フレーム部材１（長辺側フレーム部材１Ａ）が第三部分１３を備えておらず、第一部分１１と第二部分１２が直接的に結合している。具体的には、断面コ字状である第一部分１１の連結片１１４と、同じく断面コ字状である第二部分１２の連結片１２４が、第一部分１１と第二部分１２の互いの内部空間を仕切る仕切り片で構成されている。第二変形例では、フレーム部材１の外側面に、凹状の段部が形成されていない。
【０１０３】
図１６Ｃに示す第三変形例では、第二変形例と同様に、フレーム部材１が第三部分１３を備えておらず、第一部分１１と第二部分１２が直接的に結合している。具体的には、第一部分１１の連結片１１４が、第二部分１２の内側方の保持片１２２の一部で構成されている。第三変形例では、フレーム部材１の外側面に、凹状の段部が形成されていない。
【０１０４】
図１６Ｄに示す第四変形例では、コーナー部材２（長辺側半部２Ａ）の第一突起部２１と第二突起部２２が、全体の断面がＬ字状となるように一体に成形されている。フレーム部材１（長辺側フレーム部材１Ａ）には断面Ｌ字状の空洞１５が形成されており、この空洞１５に対して、一体に成形された第一突起部２１と第二突起部２２が挿し込まれている。
【０１０５】
フレーム部材１の第一部分１１には、底板３ａの端縁部３１ａが挿し込まれる溝部分と、空洞１５の半部（第一突起部２１が挿し込まれる部分）が位置する。第二部分１２には、側板３ｂの端縁部３１ｂが挿し込まれる溝部分と、空洞１５の残り半部（第二突起部２２が挿し込まれる部分）が位置する。第四変形例では、フレーム部材１の外側面に、凹状の段部が形成されていない。
【０１０６】
以上の第一変形例から第四変形例は、いずれも実施形態１のボックスの変形例として記載したが、実施形態２のフレーム部材１とコーナー部材２において同様の変更を行うことも好ましい。
【０１０７】
また、実施形態１，２のボックスにおいて、第一突起部２１は突出部２１３、弾性片２１５及び係止部２１７を有するが、これに限定されない。例えば、第一突出部２１が突出部２１３及び弾性片２１５を有し、係止部２１７を有さないことも有り得る。
【０１０８】
また、第一突出部２１が弾性片２１５及び係止部２１７を有し、突出部２１３を有さないことも有り得る。
【０１０９】
また、第一突出部２１が突出部２１３及び弾性片２１５を有し、係止部２１７を有さず、かつ突起部２１３が実施形態１，２とは反対側に突出することも有り得る。
【０１１０】
また、第一突出部２１が突出部２１３を有し、弾性片２１５及び係止部２１７を有さないことも有り得る。この場合、第一突出部２１の全体の横幅を、第一部分１１の連結片１１４に当たるように広く設けてもよいし、連結片１１４との間に隙間を形成するように設けてもよい。
【０１１１】
また、実施形態１のボックスは折り畳み可能に構成されているが、これに限定されず、折り畳み可能に構成されていなくても構わない。また、実施形態１のボックスが、底板３ａをパレットで構成したパレットボックスであってもよい。
【０１１２】
（作用効果）
上記した実施形態１及び変形例の説明から明らかなように、本開示のボックスは、以下の第一の特徴を備える。
【０１１３】
つまり、本開示のボックスは、端縁部３１ａとこれに隣接する隅部分３２ａを有する矩形状の底板３ａと、端縁部３１ａに接続されるフレーム部材１と、隅部分３２ａに接続されるコーナー部材２と、フレーム部材１を介して底板３ａに接続される側板３ｂを備える。フレーム部材１は、底板３ａの端縁部３１ａを保持する第一部分１１と、側板３ｂの端縁部３１ｂを保持する第二部分１２を含む。コーナー部材２は、第一部分１１に挿し込まれる第一突起部２１と、第二部分１２に挿し込まれる第二突起部２２を含む。
【０１１４】
したがって、第一の特徴を備える本開示のボックスにおいては、フレーム部材１とコーナー部材２を、複雑な構造や多数の部品点数を要することなく連結させることができる。しかも、コーナー部材２は、フレーム部材１の第一部分１１に挿し込まれる第一突起部２１と、フレーム部材１の第二部分１２に挿し込まれる第二突起部２２を含むので、負荷が一箇所に集中することが抑えられ、連結の信頼性が高められる。
【０１１５】
また、実施形態１及び変形例の説明から明らかなように、本開示のボックスは、第一の特徴に加えて以下の第二の特徴を備える。
【０１１６】
つまり、本開示のボックスにおいて、側板３ｂは、端縁部３１ｂ側に切り込み４３が形成された中空構造板であり、フレーム部材１は、切り込み４３に係止するように第二部分１２に形成された凸条１２６を有する。
【０１１７】
したがって、第二の特徴を備える本開示のボックスでは、凸条１２６が切り込み４３に係止することによって側板３ｂの抜け止めが図られ、これにより、複雑な構造や多数の部品点数を要することなく、フレーム部材１と側板３ｂの連結の信頼性が高められる。
【０１１８】
また、上記した実施形態１，２及び変形例の説明から明らかなように、本開示のボックスは、以下の第三の特徴を備える。
【０１１９】
つまり、本開示のボックスは、空間Ｓ１を囲んで位置する複数の側板３と、複数の側板３のうち隣接する２つの側板３の端縁部３１同士を連結させるフレーム部材１と、フレーム部材１の長手方向の端部に接続されるコーナー部材２を備える。フレーム部材１は、２つの側板３のうち一方の側板３の端縁部３１を保持する第一部分１１と、２つの側板３のうち他方の側板３の端縁部３１を保持する第二部分１２を含む。コーナー部材２は、第一部分１１に挿し込まれる第一突起部２１と、第二部分１２に挿し込まれる第二突起部２２を含む。
【０１２０】
したがって、第三の特徴を備える本開示のボックスにおいては、フレーム部材１とコーナー部材２を、複雑な構造や多数の部品点数を要することなく連結させることができる。しかも、コーナー部材２は、フレーム部材１の第一部分１１に挿し込まれる第一部分１１と、フレーム部材１の第二部分１２に挿し込まれる第二部分１２を含んでいるので、負荷が一箇所に集中することが抑えられ、連結の信頼性が高められる。
【符号の説明】
【０１２１】
１  フレーム部材
１１  第一部分
１２  第二部分
１２６  凸条
２  コーナー部材
２１  第一突起部
２２  第二突起部
３  側板
３１  端縁部
３ａ  底板
３１ａ  端縁部
３２ａ  隅部分
３ｂ  側板
３１ｂ  端縁部
４３  切り込み
Ｓ１  空間
【図１】
2020040704.tif 000003
【図２】
2020040704.tif 000004
【図３】
2020040704.tif 000005
【図４】
2020040704.tif 000006
【図５】
2020040704.tif 000007
【図６】
2020040704.tif 000008
【図７】
2020040704.tif 000009
【図８】
2020040704.tif 000010
【図９】
2020040704.tif 000011
【図１０】
2020040704.tif 000012
【図１１】
2020040704.tif 000013
【図１２】
2020040704.tif 000014
【図１３】
2020040704.tif 000015
【図１４】
2020040704.tif 000016
【図１５】
2020040704.tif 000017
【図１６】
2020040704.tif 000018